(57)【要約】【課題】  銀行や証券会社などの金融機関が金庫の一部を顧客に貸し出す貸金庫において、個人別の生体特性を認識して顧客本人であるかを判断して識別された顧客本人のみが金庫を使用できるようにした生体認識技術を利用した貸金庫システムを提供する。【解決手段】   登録された顧客の生体特性と現在使用者の生体特性とを比較して同一人物であるかを判断して認証パケットを生成する生体特性認識器；前記生体特性認識器から伝送された認証パケットを受信解読して当該金庫扉の開放のための電気信号を送出するマイクロコントローラー；前記マイクロコントローラーの電気信号に応じて動作しながら金庫扉を開閉する電子ロック及び前記電子ロックの開閉状態に応じて点灯または消灯されるＬＥＤ；前記電子ロックの取り付けられた多数の貸金庫から構成される。【選択図】  図１
2004211541.tif 000002
【特許請求の範囲】
【請求項１】
登録された顧客の生体特性と現在使用者の生体特性とを比較して同一人物であるかを判断して認証パケットを生成する生体特性認識器；
前記生体特性認識器から伝送された認証パケットを受信解読して当該金庫扉の開放のための電気信号を送出するマイクロコントローラー；
前記マイクロコントローラーの電気信号に応じて動作しながら金庫扉を開閉する電子ロック、及び前記電子ロックの開閉状態に応じて点灯または消灯されるＬＥＤ；
前記電子ロックの取り付けられた多数の貸金庫から構成されることを特徴とする生体認識技術を利用した貸金庫システム。
【請求項２】
前記生体特性認識器は、登録された顧客の生体特性を格納する格納器；
顧客の生体特性を認識するための認識器；
認識された使用者の生体特性と前記格納器に格納された顧客の生体特性とを比較判断するソフトウェアを具備した比較器；
登録された顧客だと判断された時に認証パケットを生成して前記マイクロコントローラーに伝送制御するマイクロプロセッサーである制御器；及び
前記進行状況を使用者にディスプレーするモニターから構成されることを特徴とする請求項１に記載の生体認識技術を利用した貸金庫システム。
【請求項３】
前記生体特性認識器は、使用者の指紋、静脈パターン、顔、虹彩、角膜、ＤＮＡパターンのうち選択された何れか一つを認識することを特徴とする請求項１あるいは２に記載の生体認識技術を利用した貸金庫システム。
【請求項４】
前記生体特性認識器には使用者の利用状況をディスプレーまたは印刷できる出力器が付設されていることを特徴とする請求項１に記載の生体認識技術を利用した貸金庫システム。
【請求項５】
前記マイクロコントローラーはＲＳ−２３２シリアルポートを通じて生体特性認識器と相互データを取り交わすデータ処理部；
前記データ処理部に受信された信号に応じて貸金庫の金庫扉を開閉する電気信号を出力する開閉信号出力部；
金庫扉の動作状態を感知して開放または閉鎖されているかを確認する開閉感知部；及び
これらの相互統制のための制御信号、データの流れを調節する信号調節部から構成されることを特徴とする請求項１に記載の生体認識技術を利用した貸金庫システム。
【請求項６】
前記データ処理部では５Byteの命令信号と３Byteの応答信号を通じて信号処理されることを特徴とする請求項５に記載の生体認識技術を利用した貸金庫システム。
【請求項７】
前記開閉信号出力部の電気信号が２４Vであることを特徴とする請求項５に記載の生体認識技術を利用した貸金庫システム。
【請求項８】
前記貸金庫はソレノイドからなる電子ロックにより開閉されることを特徴とする請求項１に記載の生体認識技術を利用した貸金庫システム。
【発明の詳細な説明】
【技術分野】
【０００１】
本発明は銀行や証券会社等の金融機関が金庫の一部を顧客に貸し出す貸金庫システムに関し、特に個人別の生体特性を認識して顧客本人であるかを判断し、識別された顧客本人のみが金庫を使用できるようにした生体認識技術を利用した貸金庫システムに関する。
【背景技術】
【０００２】
一般的に、貸金庫は銀行や証券会社等の金融機関が金庫の一部を鍵と共に貸し出す保護預の一種であり、有価証券、貴金属、重要書類等を保管し、顧客本人以外には誰も接近できなくした一次元高い金融サービスであり、現在国内の金融機関では主にＶＩＰ顧客にサービス形態で提供したり、または利用を希望する顧客に一定金額の貸与金を受領して提供する形態で行われている。
【０００３】
かかる貸金庫は大金庫の中に複数段で構成された多数の貸金庫が設けられ、各貸金庫は鍵やダイヤルにより開閉されるようになっている。
【０００４】
ところが、前記のような従来の貸金庫は、開閉のために用いる鍵の場合に紛失の恐れが高く盗用が可能なので、本人以外のものが使用してもこれを識別できない短所があった。
【０００５】
そして、ダイヤルの場合には操作が煩わしく、ダイヤル操作に要求されるダイヤル番号を忘れる恐れがあり、鍵と同様に他人に公開される場合にも識別機能がないので、本人の意思に反して貸金庫が使用されてしまう短所があった。
【０００６】
その上、貸金庫の利用内訳に対する顧客情報が分からず管理ができなくなる問題点がある。
【発明の開示】
【発明が解決しようとする課題】
【０００７】
本発明は、上述した従来の貸金庫システムが持つ諸問題点を解決するために案出されたものであり、貸金庫の使用のための個人識別において不変要素である顔、手などの血管である静脈パターン、指紋、虹彩、角膜、ＤＮＡパターンなどの生体特性を利用して本人か別人かの識別を行うことにより、本人以外のものが盗用することを防止すると共に、管理者の立場では貸金庫の利用状況をデータベース化することにより顧客管理の便宜性と保安性を増進した生体認識技術を利用した貸金庫システムを提供することにその目的がある。
【課題を解決するための手段】
【０００８】
前記目的を達成するために、本発明による生体認識技術を利用した貸金庫システムは、登録された顧客の生体特性と現在使用者の生体特性とを比較して同一人物であるかを判断して認証パケットを生成する生体特性認識器；前記生体特性認識器から伝送された認証パケットを受信解読して当該金庫扉の開放のための電気信号を送出するマイクロコントローラー；前記マイクロコントローラーの電気信号に応じて動作しながら金庫扉を開閉する電子ロック及び前記電子ロックの開閉状態に応じて点灯または消灯されるＬＥＤ；前記電子ロックの取り付けられた多数の貸金庫から構成されることを特徴とする。
【発明の効果】
【０００９】
以上詳細に説明したように、本発明の生体認識技術を利用した貸金庫システムは、貸金庫の金庫扉を顔や指紋、静脈パターンのように固有かつ不変の生体特性を利用して開閉させることにより、複製可能性がなく保安性に優れ、煩わしくなく使用上の便宜性が増進されて、使用状況の情報をデータベースに格納して効率的な顧客管理及びシステム管理が可能になる長所がある。
【発明を実施するための最良の形態】
【００１０】
以下、添付した図面を参照して本発明の望ましい一実施例に対して説明することにする。
【００１１】
図１は本発明による貸金庫システム構成を示した概略構成図である。
【００１２】
図示したように、本発明は生体特性を認識する生体特性認識器１００と、前記生体特性認識器１００の制御信号に応じて金庫扉の開閉を制御するマイクロコントローラー２００と、前記マイクロコントローラー２００の通制信号に応じて金庫扉の開閉動作が行われる電子ロック(ＬＯＣＫ)を具備した貸金庫３００とから構成される。
【００１３】
特に、前記生体特性認識器１００には出力器１１０が付設されてその利用現況を出力できるように構成される。
【００１４】
生体特性認識器１００はタッチスクリーンを利用して使用者に便利なインタフェースを提供するためにキオスク(ＫＩＯＳＫ)で構成されることが望ましい。
【００１５】
前記キオスクはトルコで由来した街頭の売店をいう用語であって、通常的にデジタル情報を販売する端末のことをいう。
【００１６】
前記キオスクはコンピュータと人間の対話式システムであって、音声及び画像媒体を通じて最新情報を実時間で提供することができ、最近では電子政府の具現に伴い役所などの民願案内、民願証明発給、病院などの診療案内及び予約、交通情報、地理情報、観光地及び宿泊案内、各種チケットの予約及び発売、コンビニエンスストアの無人販売、学事管理、無人郵便処理などと使用の範囲が急速に増えている。
【００１７】
かかるキオスクには、登録された顧客(使用者)の生体特性(例えば、指紋、顔、静脈パターン、虹彩、角膜、ＤＮＡパターン)を格納する格納器と、顧客の生体特性を認識するための認識器(生体認識モジュール)と、認識された使用者の生体特性と格納器に格納された顧客の生体特性とを比較判断するソフトウェアを具備した比較器と、登録された顧客だと判断された時に認証パケットを生成してマイクロコントローラー２００に伝送制御するマイクロプロセッサーのような制御器及び進行状況を使用者にディスプレーするモニターとが具備される。
【００１８】
さらに、前記キオスクには金庫の非使用時に管理者のための管理モジュールを付加できて、例えばシステムの正常作動のチェック、貸金庫の状態チェック、ロッキングテストなどの項目をプログラム化して周期的に確認し、その結果を出力器１１０を通じて出力したり、あるいは管理者の画面上に表示させると同時に別途のメモリに格納させることにより必要時にその結果を出力できて、顧客の登録及び使用に関する記録を管理することが容易になる。
【００１９】
前記生体特性認識器１００として使用されるキオスクで認識して判別する生体特性には、図示したように、不変性及び個体特異性を持つ使用者の静脈パターン(定められた特定領域内での静脈分岐点とその分岐点の枝数及び分岐点の連結関係を示す分布特性などの特性把握)、顔(選択領域での肌色と顔の輪郭及び目、鼻、口などの位置情報などの特性把握)、指紋(指紋の突起、これを中心とした突起の分岐点、端点、途切れた点などの特性把握)、目の虹彩、角膜またはＤＮＡパターンなどがある。
【００２０】
この際、使用者の顔を認識する場合には一般的なＣＣＤカメラで可能であるが、静脈を認識する場合には赤外線カメラを使用することが望ましく、指紋の場合には光学式モジュールが望ましく、その認識過程と対比判断関係は周知のものであることから詳細な説明を省くことにする。
【００２１】
一方、生体特性認識器１００に登録顧客の死亡などのように顧客本人の生体特性を使用できない場合に備えて暗証番号の選択モードを保護手段として具備することもできる。
【００２２】
これは、キオスクを通じた初期選択モードで生体特性認識の選択モードまたは暗証番号の選択モードからどれか一つを選んで使用できるようにプログラム化することにより簡単に処理できる。
【００２３】
マイクロコントローラー２００は、図２に示したように、ＲＳ−２３２(Baud Rate：9600bps、Data Bit：8Bit、Stop Bit：1Bit、Parity：No Parity、Over Time：User Define)シリアルポートを通じて生体特性認識器１００と相互にデータを取り交わすデータ処理部２１０；前記データ処理部２１０の受信された信号に応じて貸金庫の金庫扉開閉のための電気信号を出力する開閉信号出力部２２０；金庫扉の動作状態を感知して開放または閉鎖されたかを確認する開閉感知部２３０：これら相互間の統制のための制御信号、データの流れを調節する信号調節部２４０から構成される。
【００２４】
前記データ処理部２１０は生体特性認識器１００の命令信号受信時には５Byteで交信され、応答信号出力時には３Byteで交信されることが望ましい。
【００２５】
例えば、顧客だと確認された時の認証パケットである命令信号は 、図４に示す構造で伝送される。
【００２６】
ここで、図４中の(１)は１Byte(＝８bit)を意味し、ＳＴＸはスタートフラグでありヘキサ値(Hexa)(１６進数)としては５ＡＨで表現され、２進数としては０１０１ １０１０のように８bitで表現されて総１Byteをなすが、このような５ＡＨは開始を意味する値として設定される。
【００２７】
さらに、ＣＭＤは命令値であり、例えば３１Ｈ(００１１ ０００１)はロック(Ｌ０ＣＫ)の開放を；３７Ｈ(００１１ ０１１１)はロックテストを；３５Ｈ(００１１ ０１０１)はロック状態のチェックを；３９Ｈ(００１１ １００１)はＬＥＤチェックのような命令を行うように定義して使用することができる。
【００２８】
金庫番号は通常４桁(万単位)にする場合に２桁ずつ区切ってこれをヘキサ値として表現することができて、例えば０００１番目の位置にある金庫は００Ｈ＋０１Ｈ：１０００番目の位置にある金庫は１０Ｈ＋００Ｈのように表現して認識することができる。
【００２９】
その上、Check sumは前の４Byteを合わせた値であり、１Byte以上になるとそれ以上の値は切り捨てることによって処理され、ビット列を合わせてエラーをチェックする値である。
【００３０】
このような命令信号に対する応答信号は、図５のような構造の３Byteで伝送される。
【００３１】
ここで、ＳＴＸは前記命令信号の場合と同一な意味を有し、応答１Byteは各命令値に対応するレスポンス（RESPONSE）であり、例えば３１Ｈ(ロック開放成功)；３２Ｈ(ＣＭＤが３１Ｈの時にロック開放)；３３Ｈ(ＣＭＤが３５Ｈの時にロック開放)；３４Ｈ(ロック閉鎖)；３５Ｈ(ロックテスト正常)；３６Ｈ(LED ON)；３７Ｈ(LED OFF)；５０Ｈ(ロックエラー)；ＡＯＨ(Check sumエラー)などのような応答値に定義して信号を処理することができる。
【００３２】
前記開閉信号出力部２２０は前述したデータ処理部２１０の命令信号のうち金庫扉を開放または閉鎖させる命令信号を解読して当該金庫扉を開放または閉鎖するための電気信号を送出する部分である。
【００３３】
例えば、生体特性認識器１００が金庫扉の開放要求信号を伝送する場合、これをデータ処理部２１０で受信した後に信号調節部２４０の制御により前記開閉信号出力部２２０では当該金庫扉を開放するための電気信号を出力する。
【００３４】
前記開閉感知部２３０は貸金庫３００の各金庫扉を開放した後に使用者が閉鎖する時点を感知して前記データ処理部２１０を通じて貸金庫３００の金庫扉が閉鎖されたという信号を前述した構造の応答信号として生体特性認識器１００に送信させる部分である。
【００３５】
このようなマイクロコントローラー２００としては、例えば８bitMCU(Micro Controller Unit)であるks 88 seriesのようなものが可能であり、８１個の電子ロックポートを提供し、最大５０台のコントローラーを１台のキオスクに連結して使用するように構成することもできる。
【００３６】
貸金庫３００には前述した電気的な信号処理により当該金庫扉を開閉する電子ロックが具備されるが、前記電子ロックは例えば２４Vで動作するソレノイドが望ましく、その構造は周知のものなので説明を省くことにする。
【００３７】
この際、前記電子ロックのみを通じて貸金庫３００の金庫扉を自動開閉することもできるが、望ましくは電子ロックを通じて１次解錠状態を保持させた後に鍵を利用して最終的に金庫扉を開放させる。その結果、保安性がさらに向上される。
【００３８】
かつ、前記各電子ロックにはＬＥＤを設けて開放信号処理時にＬＥＤが点灯されるようにして使用者が開放を要請した金庫がどれかをすぐに識別できるようにすることが望ましい。
【００３９】
かかる構成からなる本発明の作動関係は次の通りである。
【００４０】
図３を参照して本発明による生体特性のうち顔認識の例を挙げて説明することにする。
【００４１】
後述する本発明の作動関係のうち使用する生体特性が顔である点と金庫番号を先に入力するかあるいは生体認識モードを先に選択するかの点を除くと残りの制御過程は指紋認識や静脈パターン、虹彩、角膜、ＤＮＡパターン認識の場合すべて同一である。
【００４２】
まず、使用者は生体特性認識器に接近して生体特性選択モード、例えば顔認識モードを選択する(Ｓ１１)。
【００４３】
次に、金庫番号を入力して、貸与された金庫であるかどうかを判断する(Ｓ１２、Ｓ１３)。
【００４４】
もし、貸与されていない金庫の場合には“貸与されていない金庫でございます”のようなメッセージを出力した後に初期モードに復帰し、貸与された金庫の場合にはカメラにて顧客の画像(顔)が入力される(Ｓ２１、Ｓ１４)。
【００４５】
入力された画像はフレームグラバ(Frame Grabber)を通じてデジタルに変換されて認証に使用されるデータに転換され、このデータがデータベース(格納器)に格納された登録顧客の生体特性(顔)と比較器を通じて比較され、登録された使用者であるかを判断する(Ｓ１５、Ｓ１６、Ｓ１７)。
【００４６】
この時に使用される比較器のアルゴリズムは、例えば両目を中心とした１２８個の顔の特徴点を５１２Byteのデータに圧縮して検出することにより、登録された顧客の顔イメージとデータ値とを比較して設定された離隔度に応じて比較認証させることである。
【００４７】
前記判断結果、許可された使用者でない場合には“認証に失敗しました。認証過程を再度実行して下さい”というメッセージを出力した後に再び初期画面に復帰し、許可された使用者の場合には５Byteの認証パケットを生成してマイクロコントローラーに伝送する(Ｓ２２、Ｓ１８)。
【００４８】
認証パケットである命令信号が受信されると、前記マイクロコントローラーはその命令値に応じて当該貸金庫の金庫扉の電子ロックに２４Vの電気信号を送って電子ロック(ソレノイド)を開放させると同時にＬＥＤを点灯させて、開放及びＬＥＤの点灯が正常であると３Byteの応答信号により正常開放されたことをマイクロコントローラーにて生体特性認識器であるキオスクのタッチスクリーンに表示して使用可能になる(Ｓ１９)。
【００４９】
その後、金庫扉が閉じてＬＥＤが消灯されると、その開閉を感知するマイクロコントローラーの信号処理により使用完了が報告されて初期モードに復帰される(Ｓ２０)。
【図面の簡単な説明】
【００５０】
【図１】本発明による貸金庫システムの概略構成図。
【図２】本発明による貸金庫システムのマイクロコントローラーを示した構成ブロック図。
【図３】本発明による貸金庫システムの動作流れを示した流れ図。
【図４】命令信号の構成を示す説明図。
【図５】応答信号の構成を示す説明図。
【符号の説明】
【００５１】
１００  生体特性認識器
１１０  出力器
２００  マイクロコントローラー
２１０  データ処理部
２２０  開閉信号出力部
２３０  開閉感知部
２４０  信号調節部
３００  貸金庫
【図１】
2004211541.tif 000003
【図２】
2004211541.tif 000004
【図３】
2004211541.tif 000005
【図４】
2004211541.tif 000006
【図５】
2004211541.tif 000007